(57)【要約】【課題】別途アンテナ線を設けなくても所望の周波数帯においてアンテナとして機能するＵＳＢケーブルを提供する。【解決手段】負荷と電源とを接続するＵＳＢケーブルであって、少なくとも二つの信号線のそれぞれに二つずつ並列共振器を挿入し、各信号線の二つの並列共振器の間の電気長を所望の受信周波数帯の波長の１／４あるいはその奇数倍の長さとし、各信号線の電源側の並列共振器の負荷側端をキャパシタを介して接続し、各信号線の負荷側の並列共振器の電源側端をキャパシタを介して接続したＵＳＢケーブル。【選択図】図７
2014183522.tif 000002
【特許請求の範囲】
【請求項１】
負荷と電源とを接続するＵＳＢケーブルであって、
少なくとも二つの信号線のそれぞれに二つずつ並列共振器を挿入し、
前記各信号線の二つの並列共振器の間の電気長を所望の受信周波数帯の波長の１／４あるいはその奇数倍の長さとし、
前記各信号線の電源側の並列共振器の負荷側端をキャパシタを介して接続し、
前記各信号線の負荷側の並列共振器の電源側端をキャパシタを介して接続した
ＵＳＢケーブル。
【請求項２】
負荷と電源とを接続するＵＳＢケーブルであって、
少なくとも二つの信号線のそれぞれに二つずつ、共振周波数が可変な並列共振器を挿入し、
前記各信号線の電源側の並列共振器の負荷側端をキャパシタを介して接続し、
前記各信号線の負荷側の並列共振器の電源側端をキャパシタを介して接続した
ＵＳＢケーブル。
【請求項３】
負荷と電源とを接続するＵＳＢケーブルであって、
少なくとも二つの信号線のそれぞれに二つずつ、第１の周波数帯で共振する並列共振器を挿入し、
前記並列共振器を挿入した信号線のそれぞれに二つずつ、第２の周波数帯で共振する並列共振器を挿入し、
前記各信号線の第１の周波数帯で共振する並列共振器の間の電気長を第１の周波数帯の波長の１／４あるいはその奇数倍の長さとし、
前記各信号線の第２の周波数帯で共振する並列共振器の間の電気長を第２の周波数帯の波長の１／４あるいはその奇数倍の長さとした
ＵＳＢケーブル。
【請求項４】
負荷と電源とを接続するＵＳＢケーブルであって、
シールドに二つ並列共振器を挿入し、
前記二つの並列共振器の間の電気長を所望の周波数帯の波長の１／４あるいはその奇数倍の長さとした
ＵＳＢケーブル。
【請求項５】
負荷と電源とを接続するＵＳＢケーブルであって、
シールドに二つ、共振周波数が可変な並列共振器を挿入した
ＵＳＢケーブル。
【請求項６】
負荷と電源とを接続するＵＳＢケーブルであって、
シールドに二つ、第１の周波数帯で共振する並列共振器を挿入し、
前記シールドに二つ、第２の周波数帯で共振する並列共振器を挿入し、
前記第１の周波数帯で共振する並列共振器の間の電気長を第１の周波数帯の波長の１／４あるいはその奇数倍の長さとし、
前記第２の周波数帯で共振する並列共振器の間の電気長を第２の周波数帯の波長の１／４あるいはその奇数倍の長さとした
ＵＳＢケーブル。
【請求項７】
請求項１から６の何れかに記載のＵＳＢケーブルであって、
電源側のプラグがＵＳＢの標準Ａプラグであり、
負荷側のプラグがｍｉｃｒｏＵＳＢのＴｙｐｅＢのプラグであり、
受信波を増幅し、負荷側のＩＤ端子に前記増幅した受信波を供給する受信アンプをさらに備える
ＵＳＢケーブル。
【発明の詳細な説明】
【技術分野】
【０００１】
本発明は、携帯端末のバッテリの充電やＰＣとの通信に用いられるＵＳＢケーブルに関する。
【背景技術】
【０００２】
２０１２年４月よりＩＳＤＢ−Ｔｍｍ（Integrated Services Digital Broadcasting Terrestrial for mobile multimedia）方式を用いたスマートホン向けＶ−Ｈｉｇｈマルチメディア放送（モバキャス（登録商標））が開始された（非特許文献１参照）。モバキャス（登録商標）には、通常のテレビと同じようにストリーミングで視聴する「リアルタイム視聴」と、放送波を使ってコンテンツをダウンロードする端末蓄積型の放送「シフトタイム視聴」という２つの視聴スタイルがある。シフトタイム視聴は、放送波を用いて、深夜などに番組データを端末に蓄積し、翌朝には端末に蓄積された番組をスマートホン利用者（以下、利用者という）が再生できるものである。
【０００３】
一般的に深夜の時間帯は、利用者は自宅など屋内にいることが多いと思われるが、モバキャス（登録商標）に限らず、電波はその特性上、屋外に対して屋内では受信しづらい。そのため、モバキャス（登録商標）対応の携帯端末に搭載されているロッドアンテナを伸ばしても、十分な信号強度が得られず、モバキャス（登録商標）の受信ができない場合があった。
【０００４】
図１を参照して、ＵＳＢコネクタのピン配列について説明する。図１は、ＵＳＢコネクタのピン配列を説明する図である。図１に示すようにＵＳＢの標準Ａプラグは、ピン番号１＝ＶＢＵＳ、２＝Ｄ−、３＝Ｄ＋、４＝ＧＮＤとなっており、ｍｉｃｒｏＵＳＢのＴｙｐｅＢのプラグは、ピン番号１＝ＶＢＵＳ、２＝Ｄ−、３＝Ｄ＋、４＝ＩＤ（ＮＣ）、５＝ＧＮＤとなっている。スマートホンと称される携帯端末には、ｍｉｃｒｏＵＳＢコネクタを備える機種が多数あり、なかでもモバキャス（登録商標）対応携帯端末では、ｍｉｃｒｏＵＳＢコネクタのＩＤ端子（ピン番号４）を外部アンテナの接続端子として使用するものがある。このようなモバキャス（登録商標）対応携帯端末におけるモバキャス（登録商標）の受信状況を改善するアクセサリーとして、アンテナ付イヤホン変換ケーブルが開示されている（非特許文献２）。これは、市販のイヤホンをｍｉｃｒｏＵＳＢコネクタに変換する機能に加え、変換ケーブル自体がモバキャス（登録商標）受信用の外部アンテナとして機能し、ｍｉｃｒｏＵＳＢコネクタのＩＤ端子を介して、携帯端末内のモバキャス（登録商標）用受信回路に、変換ケーブルで受信したモバキャス（登録商標）の信号を伝送するものである。
【０００５】
関連する技術として、特許文献１に、携帯電話機におけるデータ格納システムが開示されている。特許文献１のデータ格納システムは、携帯電話機、外部接続端子、充電器、アンテナ付き電源ケーブル、データ放送局から構成されている。データ放送は、ＢＳデジタル放送、地上波データ放送、ＦＭデータ放送から選ばれる放送波の少なくとも１つを利用する。電源ケーブルはその内部に、電線とともに上記放送波を受信することができる十分な長さのアンテナ線を設けることが可能である。
【先行技術文献】
【特許文献】
【０００６】
【特許文献１】特開２００６−１４０９７７号公報
【非特許文献】
【０００７】
【非特許文献１】”セグメント連結伝送方式による地上マルチメディア放送用受信装置（望ましい使用）”、［online］、平成２３年３月２８日、電波産業会、［平成２５年３月１日検索］、インターネット<URL:http://www.arib.or.jp/tyosakenkyu/kikaku_hoso/hoso_std-b053.html>
【非特許文献２】”docomo NEXT series AQUOS PHONE SH-06D”、インデックス”日本初！高画質・高音質、多彩なジャンルの番組・コンテンツが満載のスマホ向け放送局「ＮＯＴＴＶ」が楽しめる！”[online]、株式会社エヌ・ティ・ティ・ドコモ、[平成２５年３月１日検索]、インターネット<URL:http://www.nttdocomo.co.jp/product/next/sh06d/topics_01.html>
【発明の概要】
【発明が解決しようとする課題】
【０００８】
特許文献１のデータ格納システムでは、アンテナ付電源ケーブルの内部に電線と、アンテナ線とを設けることで、ＦＭデータ放送などの放送波を受信する。特許文献１のように別途アンテナ線をケーブル内に収容することとすれば、アンテナ線の材料コスト、配線コストがかかるだけでなく、アンテナと電線との間で意図しない結合が生じることによるアンテナ特性の変化を防ぐための対策が必要となり、更なるコスト増になることが問題であった。そこで本発明では、別途アンテナ線を設けなくても所望の周波数帯においてアンテナとして機能するＵＳＢケーブルを提供することを目的とする。
【課題を解決するための手段】
【０００９】
本発明のＵＳＢケーブルは、負荷と電源とを接続するＵＳＢケーブルであって、少なくとも二つの信号線のそれぞれに二つずつ並列共振器を挿入し、各信号線の二つの並列共振器の間の電気長を所望の受信周波数帯の波長の１／４あるいはその奇数倍の長さとし、各信号線の電源側の並列共振器の負荷側端をキャパシタを介して接続し、各信号線の負荷側の並列共振器の電源側端をキャパシタを介して接続した。
【発明の効果】
【００１０】
本発明のＵＳＢケーブルは、別途アンテナ線を設けなくても所望の周波数帯においてアンテナとして機能する。
【図面の簡単な説明】
【００１１】
【図１】ＵＳＢコネクタのピン配列を説明する図。
【図２】実施例１のＵＳＢケーブルの概略を示す図。
【図３】実施例１のＵＳＢケーブルの回路構成を示す図。
【図４】実施例２のＵＳＢケーブルの概略を示す図。
【図５】実施例３のＵＳＢケーブルの概略を示す図。
【図６】実施例３のＵＳＢケーブルの回路構成を示す図。
【図７】実施例４のＵＳＢケーブルの回路構成を示す図。
【図８】実施例５のＵＳＢケーブルの回路構成を示す図。
【図９】実施例６のＵＳＢケーブルの回路構成を示す図。
【図１０】実施例７のＵＳＢケーブルの回路構成を示す図。
【図１１】実施例８のＵＳＢケーブルの回路構成を示す図。
【図１２】実施例９のＵＳＢケーブルの回路構成を示す図。
【図１３】実施例１０のＵＳＢケーブルの回路構成を示す図。
【発明を実施するための形態】
【００１２】
以下、本発明の実施の形態について、詳細に説明する。なお、同じ機能を有する構成部には同じ番号を付し、重複説明を省略する。
【実施例１】
【００１３】
以下、図２、図３を参照して実施例１のＵＳＢケーブルについて説明する。図２は本実施例のＵＳＢケーブル１０の概略を示す図である。図３は本実施例のＵＳＢケーブル１０の回路構成を示す図である。図２に示すように、本実施例のＵＳＢケーブル１０は、ＵＳＢ−ｍｉｃｒｏＵＳＢ変換ケーブルである。ＵＳＢケーブル１０は、従来のＵＳＢ−ｍｉｃｒｏＵＳＢ変換ケーブルと共通する構成としてケーブル１と、ケーブル１の一端に端末側ハウジング２を介してケーブル１と接続された端末側プラグ３と、ケーブル１の他端にＡＣ側ハウジング７を介してケーブル１と接続されたＡＣ側プラグ８とを備える。端末側プラグ３は前述したｍｉｃｒｏＵＳＢのＴｙｐｅＢのプラグであって負荷側、つまり図２に示す携帯端末１００のレセプタクルと接続され、ＡＣ側プラグ８は、前述したＵＳＢの標準Ａプラグであって、電源側、つまり図２に示すＡＣアダプタ２００、ＰＣ３００、またはＵＳＢモバイル電源４００と接続される。本実施例のＵＳＢケーブル１０はこれらに加え、ケーブル１内に導線で形成したアンテナ４、端末側ハウジング２内に受信アンプ５を備える。
【００１４】
アンテナ４は受信周波数帯として、例えばモバキャス（登録商標）が使用している２００ＭＨｚ帯で設計されている。そのアンテナ線はアンテナ長として、受信周波数に対して、電気的に１／４波長あるいはその奇数倍の長さを有する。アンテナ４をＵＳＢケーブル１０の他の信号線と同じ被覆内に納め、一体化することで、利用者には従来のＵＳＢ−ｍｉｃｒｏＵＳＢ変換ケーブルと同じにしか見えず、美観を損ねない。
【００１５】
前述したように、受信アンプ５は、ｍｉｃｒｏＵＳＢのハウジング部である端末側ハウジング２内に内蔵する。図３に示すように、受信アンプ５の電源はＶＢＵＳ信号線より信号線を分岐させて給電する。ＡＣ側プラグ８に、ＡＣアダプタ２００、ＰＣ３００、またはＵＳＢモバイル電源４００が接続されることにより、受信アンプ５に電力が供給される。ＵＳＢ規格に定めるとおり、ＶＢＵＳからは＋５Ｖが給電される。受信アンプ５の動作電圧が５Ｖではない場合、図３に示すように、ＶＢＵＳの信号線と受信アンプ５の間にＤＣ／ＤＣコンバータ６を配置することで降圧、または昇圧すればよい。受信アンプ５のグランド（ＧＮＤ）はＧＮＤの信号線より分岐させ、使用することができる。受信アンプ５の入力端子は、上述のアンテナ４に接続する。受信アンプ５の出力端子は、端末側プラグ３（ｍｉｃｒｏＵＳＢ／ＴｙｐｅＢ）のＩＤ端子に接続する。
【００１６】
本実施例のＵＳＢケーブル１０によれば、携帯端末１００の充電と同時に、アンテナ４で受信された放送波を受信アンプ５で増幅し、携帯端末１００に供給することができる。よって、本実施例のアンテナ４と携帯端末１００がもともと備えるアンテナの利得が同程度であれば、受信アンプ５の利得分、携帯端末向け放送波の携帯端末における受信感度の改善が可能になる。あるいは、携帯端末１００がもともと備えるアンテナがロッドアンテナである場合、そのロッドアンテナを伸長させることなく、携帯端末向け放送波の携帯端末における受信感度の改善が可能になる。また本実施例のＵＳＢケーブル１０によれば、ＡＣ側プラグ８にＡＣアダプタ２００、ＰＣ３００、ＵＳＢモバイル電源４００のいずれかが未接続（非充電時）であっても、端末側プラグ３と携帯端末１００のｍｉｃｒｏＵＳＢレセプタクルとが接続されていれば、携帯端末１００のｍｉｃｒｏＵＳＢポート（ＶＢＵＳの信号線）より受信アンプ５の動作に必要な電力を得ることができ、受信感度改善を図ることができる。本実施例のＵＳＢケーブル１０によれば、アンテナ付イヤホン変換ケーブルや特許文献１に示した従来技術と比較して、携帯端末向け放送の屋内での受信感度を改善することができる。
【実施例２】
【００１７】
次に、図４を参照して実施例２のＵＳＢケーブル２０について説明する。図４は本実施例のＵＳＢケーブル２０の概略を示す図である。実施例１のＵＳＢケーブル１０と同様に、本実施例のＵＳＢケーブル２０は、従来のＵＳＢ−ｍｉｃｒｏＵＳＢ変換ケーブルと共通する構成としてケーブル１、端末側ハウジング２、端末側プラグ３、ＡＣ側ハウジング７、ＡＣ側プラグ８を備える。端末側プラグ３はｍｉｃｒｏＵＳＢ／ＴｙｐｅＢ、ＡＣ側プラグ８は標準Ａプラグである。本実施例のＵＳＢケーブル２０はこれらに加え、ケーブル１と枝分かれするように端末側ハウジング２から突出して独立して形成されたアンテナ４と、端末側ハウジング２内に受信アンプ５を備える。図４に示すように、本実施例のＵＳＢケーブル２０は実施例１のＵＳＢケーブル１０の特徴に加え、アンテナ４がケーブル１内の信号線、電源線などと一体化されないで独立して配置されることを特徴とする。なお、本実施例のＵＳＢケーブル２０の回路構成は、図３に示した実施例１のＵＳＢケーブル１０の回路構成と同様である。
【００１８】
本実施例のＵＳＢケーブル２０によれば、ケーブル１とアンテナ４とを分離することにより、ケーブル１内に重畳する雑音を避けることができ、ＡＣ電源、ノートＰＣ、ＵＳＢモバイル電源の位置に関係なく、携帯端末向け放送波をより受信できるようにアンテナ４を動かすことができ、その結果、携帯端末向け放送波の携帯端末における受信感度をより改善することができる。
【実施例３】
【００１９】
次に、図５、図６を参照して実施例３のＵＳＢケーブル３０について説明する。図５は本実施例のＵＳＢケーブル３０の概略を示す図である。図６は本実施例のＵＳＢケーブル３０の回路構成を示す図である。本実施例のＵＳＢケーブル３０は、実施例１のＵＳＢケーブル１０のように別途アンテナ線を設けることなく、ＶＢＵＳ信号線およびＧＮＤ信号線をアンテナとして用いることを特徴とする。図６に示すように、ＶＢＵＳ信号線およびＧＮＤ信号線に第一の並列共振器３２−１、第二の並列共振器３２−２をそれぞれ挿入する。ＶＢＵＳ信号線は、第一の並列共振器３２−１の負荷側端から電気的に所望の受信周波数帯の波長の１／４あるいはその奇数倍の長さ離れた箇所において２分岐され、一方はインダクタ３３を介してｍｉｃｒｏＵＳＢのＶＢＵＳ端子へ、他方はキャパシタ３４−１を介して受信アンプ５の入力端子に接続され、受信アンプ５の出力端子はキャパシタ３４−２を介してｍｉｃｒｏＵＳＢのＩＤ端子に接続される。ＧＮＤ信号線に関しては、第二の並列共振器３２−２の負荷側端から、電気的に所望の受信周波数帯の波長の１／４あるいはその奇数倍の長さ離れた箇所において、第三の並列共振器３２−３の電源側端に接続され、第三の並列共振器３２−３の負荷側端は、ｍｉｃｒｏＵＳＢのＧＮＤ端子に接続される。ＶＢＵＳ信号線のインダクタ３３の負荷側端より分岐した信号線が、ＤＣ／ＤＣコンバータ６（降圧、昇圧が必要な場合に限る）を介して受信アンプ５の電源端子に接続され、第三の並列共振器３２−３の負荷側端より分岐した信号線が受信アンプ５のＧＮＤ端子に接続される。さらに、第一の並列共振器３２−１の負荷側端と、第二の並列共振器３２−２の負荷側端とが、所望の周波数帯において、キャパシタ３１−１を介して高周波的に接続され、第三の並列共振器３２−３の電源側端と、ＶＢＵＳの信号線の２分岐の箇所が、所望の周波数帯において、キャパシタ３１−２を介して高周波的に接続される。上記の並列共振器の共振周波数はすべて所望の受信周波数帯となるよう設定する。インダクタ３３のインダクタンス値は、所望の受信周波数帯において、十分大きなインピーダンスとなるよう設定する。キャパシタ３１−１、３１−２のキャパシタンス値は、所望の周波数帯において、十分小さなインピーダンスとなるよう設定する。インダクタ３３は、並列共振器に置き換えることも可能である。
【００２０】
本実施例のＵＳＢケーブル３０は、実施例１、２では別途必要であった受信アンテナ用の信号線を設けなくてもアンテナとして機能する。
【実施例４】
【００２１】
次に、図７を参照して実施例４のＵＳＢケーブル４０について詳細に説明する。図７は実施例４のＵＳＢケーブル４０の回路構成を示す図である。実施例３のＵＳＢケーブル３０では、ＶＢＵＳ、およびＧＮＤ信号線をアンテナとして用いたが、本実施例のＵＳＢケーブル４０は、ＶＢＵＳ、ＧＮＤ信号線に加え＋Ｄａｔａ信号線および−Ｄａｔａ信号線をアンテナとして用いることを特徴とする。図７に示すように本実施例のＵＳＢケーブル４０は、実施例３のＵＳＢケーブル３０と共通してキャパシタ３１−１、３１−２、第一、第二、第三の並列共振器３２−１、３２−２、３２−３、インダクタ３３、キャパシタ３４−１、３４−２、受信アンプ５、および降圧、昇圧が必要な場合に限りＤＣ／ＤＣコンバータ６を有する。本実施例のＵＳＢケーブル４０はこれに加え、＋Ｄａｔａ信号線に関しては第四の並列共振器４２−４を挿入し、当該第四の並列共振器４２−４の負荷側端から電気的に所望の受信周波数帯の波長の１／４あるいはその奇数倍の長さ離れた箇所において、第五の並列共振器４２−５の電源側端が接続される。−Ｄａｔａ信号線に関しては第六の並列共振器４２−６を挿入し、当該第六の並列共振器４２−６の負荷側端から電気的に所望の受信周波数帯の波長の１／４あるいはその奇数倍の長さ離れた箇所において、第七の並列共振器４２−７の電源側端が接続される。
【００２２】
さらに、第二の並列共振器３２−２の負荷側端と、第四の並列共振器４２−４の負荷側端とが、所望の周波数帯において、キャパシタ４１−３を介して高周波的に接続され、第四の並列共振器４２−４の負荷側端と、第六の並列共振器４２−６の負荷側端とが、所望の周波数帯において、キャパシタ４１−５を介して高周波的に接続される。さらに、第三の並列共振器３２−３の電源側端と、第五の並列共振器４２−５の電源側端とが、所望の周波数帯において、キャパシタ４１−４を介して高周波的に接続され、第五の並列共振器４２−５の電源側端と、第七の並列共振器４２−７の電源側端とが、所望の周波数帯において、キャパシタ４１−６を介して高周波的に接続される。
【００２３】
このように本実施例のＵＳＢケーブル４０は、所望の周波数帯で共振する並列共振器を信号線１本につき少なくとも２つずつ備え、並列共振器間の間隔を電気的に所望の受信周波数帯の波長の１／４あるいはその奇数倍の長さとし、さらに各信号線に配置された並列共振器の負荷側端、または電源端がキャパシタを介して高周波的に接続されて構成されている。
【００２４】
本実施例のＵＳＢケーブル４０によれば、従来のＵＳＢ−ｍｉｃｒｏＵＳＢ変換ケーブルが備える全ての信号線が、全体として所望の周波数帯で受信アンテナとして機能し、他の信号線による電磁界の擾乱を防ぐことができ、アンテナ利得の劣化を抑えることができる。
【実施例５】
【００２５】
次に、図８を参照して実施例５のＵＳＢケーブル５０について詳細に説明する。図８は実施例５のＵＳＢケーブル５０の回路構成を示す図である。実施例４のＵＳＢケーブル４０では全ての信号線をアンテナとして用いたが、本実施例のＵＳＢケーブル５０は、これらに加えシールドをアンテナとして用いることを特徴とする。図８に示すように本実施例のＵＳＢケーブル５０は、実施例４のＵＳＢケーブル４０と共通して３１−１、３１−２、３２−１、３２−２、３２−３、３３、３４−１、３４−２、４１−３、４１−４、４１−５、４１−６、４２−４、４２−５、４２−６、４２−７、受信アンプ５、および降圧、昇圧が必要な場合に限りＤＣ／ＤＣコンバータ６を有する。本実施例のＵＳＢケーブル５０はこれに加え、シールドに関して第八の並列共振器５２−８を挿入し、当該第八の並列共振器５２−８の負荷側端から電気的に所望の受信周波数帯の波長の１／４あるいはその奇数倍の長さ離れた箇所において、第九の並列共振器５２−９の電源側端が接続される。
【００２６】
さらに、第六の並列共振器４２−６の負荷側端と、第八の並列共振器５２−８の負荷側端とが、所望の周波数帯において、キャパシタ５１−７を介して高周波的に接続され、第七の並列共振器４２−７の電源側端と、第九の並列共振器５２−９の電源側端とが、所望の周波数帯において、キャパシタ５１−８を介して高周波的に接続される。
【００２７】
このように本実施例のＵＳＢケーブル５０は、シールドに所望の周波数帯で共振する並列共振器を少なくとも２つ備え、並列共振器間の間隔を電気的に所望の受信周波数帯の波長の１／４あるいはその奇数倍の長さとし、さらにシールドに配置された並列共振器の負荷側端、または電源端がキャパシタを介して他の信号線と高周波的に接続されて構成されている。
【００２８】
本実施例のＵＳＢケーブル５０によれば、従来のＵＳＢ−ｍｉｃｒｏＵＳＢ変換ケーブルが備える全ての信号線、およびシールドが、全体として所望の周波数帯で受信アンテナとして機能し、他の信号線による電磁界の擾乱を防ぐことができ、アンテナ利得の劣化を抑えることができる。
【実施例６】
【００２９】
次に、図９を参照して実施例６のＵＳＢケーブル６０について詳細に説明する。図９は実施例６のＵＳＢケーブル６０の回路構成を示す図である。本実施例のＵＳＢケーブル６０は、実施例５のＵＳＢケーブル５０における並列共振器を共振周波数可変の並列共振器６２−１〜６２−９として構成したことを特徴とする。図９は実施例５の変形例として構成した回路構成を示す図であるが、これに限らず実施例３、４の並列共振器を共振周波数可変の並列共振器に交換した回路構成としてもよい。図９に示すように、電源側の並列共振器６２−１、６２−２、６２−４、６２−６、６２−８の負荷側端と、負荷側の並列共振器６２−３、６２−５、６２−７、６２−９の間の電気長をＬとする。ここで、第１の受信波の波長をλ１とし、第２の受信波の波長をλ２とする（ただし、λ１＞λ２）。ここでｎ＝１，２，３，…、ｍ＝２，３，４，…とし、Ｌ＝（２ｎ−１）／４×λ１、λ１＝（２ｍ−１）×λ２の関係が成り立つ場合、Ｌ＝（２ｎ−１）×（２ｍ−１）／４×λ２となる。従って、この場合電気長Ｌは、第１の受信波の波長λ１の１／４、またはその奇数倍の長さであると同時に、第２の受信波の波長λ２の１／４の奇数倍の長さでもある。従って、この場合並列共振器６２−１〜６２−９の共振周波数チューニングにより、前述の条件を満たす複数の受信波をチャネル選択して受信することができる。
【００３０】
本実施例のＵＳＢケーブル６０によれば、並列共振器を共振周波数可変としたため、所定の条件を満たす複数の周波数帯の受信波をチャネル選択して受信することができる。
【実施例７】
【００３１】
次に、図１０を参照して実施例７のＵＳＢケーブル７０について詳細に説明する。図１０は実施例７のＵＳＢケーブル７０の回路構成を示す図である。本実施例のＵＳＢケーブル７０は、所望の周波数帯ｆ１で共振する並列共振器、および所望の周波数帯ｆ２で共振する並列共振器を信号線１本につき少なくとも２つずつ備える。周波数帯ｆ１で共振する並列共振器間の電気長を周波数帯ｆ１の波長の１／４あるいはその奇数倍の長さとし、同様に周波数帯ｆ２で共振する並列共振器間の電気長を周波数帯ｆ２の波長の１／４あるいはその奇数倍の長さする。さらに各信号線、またはシールドに配置された並列共振器の負荷側端、または電源端がキャパシタを介して他の信号線、またはシールドと高周波的に接続されて構成されている。なお、周波数帯ｆ１と周波数帯ｆ２は互いに異なるものとする。
【００３２】
具体的には本実施例のＵＳＢケーブル７０は、ＶＢＵＳ信号線に関しては周波数ｆ１で共振する並列共振器７２−１、周波数ｆ２で共振する並列共振器７３−１を挿入し、当該並列共振器７２−１の負荷側端から周波数帯ｆ１の波長の１／４あるいはその奇数倍の長さ離れた箇所において２分岐され、一方はインダクタ３３を介してｍｉｃｒｏＵＳＢのＶＢＵＳ端子へ、他方はキャパシタ３４−１、受信アンプ５、キャパシタ３４−２を介してｍｉｃｒｏＵＳＢのＩＤ端子に接続される。ＧＮＤ信号線に関しては周波数ｆ１で共振する並列共振器７２−２、周波数ｆ２で共振する並列共振器７３−２を挿入し、並列共振器７２−２の負荷側端から周波数帯ｆ１の波長の１／４あるいはその奇数倍の長さ離れた箇所において周波数ｆ１で共振する並列共振器７２−３の電源側端が接続され、並列共振器７３−２の負荷側端から周波数帯ｆ２の波長の１／４あるいはその奇数倍の長さ離れた箇所において周波数ｆ２で共振する並列共振器７３−３の電源側端が接続される。ＶＢＵＳ信号線のインダクタ３３の負荷側端より分岐した信号線が、ＤＣ／ＤＣコンバータ６（降圧、昇圧が必要な場合に限る）を介して受信アンプ５の電源端子に接続され、並列共振器７３−３の負荷側端より分岐した信号線が受信アンプ５のＧＮＤ端子に接続される。＋Ｄａｔａ信号線に関しては周波数ｆ１で共振する並列共振器７２−４、周波数ｆ２で共振する並列共振器７３−４を挿入し、並列共振器７２−４の負荷側端から周波数帯ｆ１の波長の１／４あるいはその奇数倍の長さ離れた箇所において周波数ｆ１で共振する並列共振器７２−５の電源側端が接続され、並列共振器７３−４の負荷側端から周波数帯ｆ２の波長の１／４あるいはその奇数倍の長さ離れた箇所において周波数ｆ２で共振する並列共振器７３−５の電源側端が接続される。−Ｄａｔａ信号線に関しては周波数ｆ１で共振する並列共振器７２−６、周波数ｆ２で共振する並列共振器７３−６を挿入し、並列共振器７２−６の負荷側端から周波数帯ｆ１の波長の１／４あるいはその奇数倍の長さ離れた箇所において周波数ｆ１で共振する並列共振器７２−７の電源側端が接続され、並列共振器７３−６の負荷側端から周波数帯ｆ２の波長の１／４あるいはその奇数倍の長さ離れた箇所において周波数ｆ２で共振する並列共振器７３−７の電源側端が接続される。シールドに関しては周波数ｆ１で共振する並列共振器７２−８、周波数ｆ２で共振する並列共振器７３−８を挿入し、並列共振器７２−８の負荷側端から周波数帯ｆ１の波長の１／４あるいはその奇数倍の長さ離れた箇所において周波数ｆ１で共振する並列共振器７２−９の電源側端が接続され、並列共振器７３−８の負荷側端から周波数帯ｆ２の波長の１／４あるいはその奇数倍の長さ離れた箇所において周波数ｆ２で共振する並列共振器７３−９の電源側端が接続される。
【００３３】
並列共振器７２−１の負荷側端と並列共振器７２−２の負荷側端とがキャパシタ３１−１を介して高周波的に接続され、並列共振器７３−１の負荷側端と並列共振器７３−２の負荷側端とがキャパシタ７１−１を介して高周波的に接続され、ＶＢＵＳの信号線の２分岐の箇所が並列共振器７２−３、７３−３の電源側端部と、キャパシタ３１−２を介して高周波的に接続される。並列共振器７２−２の負荷側端と並列共振器７２−４の負荷側端とがキャパシタ４１−３を介して高周波的に接続され、並列共振器７３−２の負荷側端と並列共振器７３−４の負荷側端とがキャパシタ７１−２を介して高周波的に接続され、並列共振器７２−３、７３−３の電源側端と並列共振器７２−５、７３−５の電源側端とがキャパシタ４１−４を介して高周波的に接続される。並列共振器７２−４の負荷側端と並列共振器７２−６の負荷側端とがキャパシタ４１−５を介して高周波的に接続され、並列共振器７３−４の負荷側端と並列共振器７３−６の負荷側端とがキャパシタ７１−３を介して高周波的に接続され、並列共振器７２−５、７３−５の電源側端と並列共振器７２−７、７３−７の電源側端とがキャパシタ４１−６を介して高周波的に接続される。並列共振器７２−６の負荷側端と並列共振器７２−８の負荷側端とがキャパシタ５１−７を介して高周波的に接続され、並列共振器７３−６の負荷側端と並列共振器７３−８の負荷側端とがキャパシタ７１−４を介して高周波的に接続され、並列共振器７２−７、７３−７の電源側端と並列共振器７２−９、７３−９の電源側端とがキャパシタ５１−８を介して高周波的に接続される。
【００３４】
本実施例のＵＳＢケーブル７０によれば、互いに異なる二種類の周波数帯の受信波を受信することができる。
【実施例８】
【００３５】
次に、図１１を参照して実施例８のＵＳＢケーブル８０について詳細に説明する。図１１は実施例８のＵＳＢケーブル８０の回路構成を示す図である。本実施例のＵＳＢケーブル８０では、ケーブル内に形成されたシールドのみをアンテナとして用いる。図１１に示すように、本実施例のＵＳＢケーブル８０は、そのシールドに並列共振器８２−８を挿入し、当該並列共振器８２−８の負荷側端から電気的に所望の受信周波数帯の波長の１／４あるいはその奇数倍の長さ離れた箇所において、並列共振器８２−９の電源側端が接続される。さらに、並列共振器８２−９の電源側端に分岐点を設ける。分岐点はキャパシタ３４−１を介して受信アンプ５の入力端子に接続され、受信アンプ５の出力端子はキャパシタ３４−２を介してｍｉｃｒｏＵＳＢのＩＤ端子に接続される。ＶＢＵＳ信号線より分岐した信号線が、ＤＣ／ＤＣコンバータ６（降圧、昇圧が必要な場合に限る）を介して受信アンプ５の電源端子に接続され、ＧＮＤ信号線より分岐した信号線が受信アンプ５のＧＮＤ端子に接続される。
【００３６】
本実施例のＵＳＢケーブル８０によれば、従来のＵＳＢ−ｍｉｃｒｏＵＳＢ変換ケーブルが備えるシールドを所望の周波数帯で受信アンテナとして機能させることができる。
【実施例９】
【００３７】
次に、図１２を参照して実施例９のＵＳＢケーブル９０について詳細に説明する。図１２は実施例９のＵＳＢケーブル９０の回路構成を示す図である。本実施例のＵＳＢケーブル９０は、実施例８のＵＳＢケーブル８０と同様に、ケーブル内に形成されたシールドをアンテナとして用いる。本実施例のＵＳＢケーブル９０はこれに加え、ＶＢＵＳ信号線に関しては並列共振器９２−１を挿入し、当該並列共振器９２−１の負荷側端から電気的に所望の受信周波数帯の波長の１／４あるいはその奇数倍の長さ離れた箇所において、インダクタ９３の電源側端が接続される。また、ＧＮＤ信号線に関しては並列共振器９２−２を挿入し、当該並列共振器９２−２の負荷側端から電気的に所望の受信周波数帯の波長の１／４あるいはその奇数倍の長さ離れた箇所において、並列共振器９２−３の電源側端が接続される。並列共振器８２−８の負荷側端と並列共振器９２−１の負荷側端とがキャパシタ９１−１を介して高周波的に接続され、並列共振器９２−１の負荷側端と並列共振器９２−２の負荷側端とがキャパシタ９１−３を介して高周波的に接続される。並列共振器８２−９の電源側端とインダクタ９３の電源側端とがキャパシタ９１−２を介して高周波的に接続され、インダクタ９３の電源側端と並列共振器９２−３の電源側端とがキャパシタ９１−４を介して高周波的に接続される。
【００３８】
本実施例のＵＳＢケーブル９０によれば、従来のＵＳＢ−ｍｉｃｒｏＵＳＢ変換ケーブルが備えるＶＢＵＳ信号線、ＧＮＤ信号線、およびシールドが、全体として所望の周波数帯で受信アンテナとして機能し、他の信号線による電磁界の擾乱を防ぐことができ、アンテナ利得の劣化を抑えることができる。
【実施例１０】
【００３９】
次に、図１３を参照して実施例１０のＵＳＢケーブル１０００について詳細に説明する。図１３は実施例１０のＵＳＢケーブル１０００の回路構成を示す図である。本実施例のＵＳＢケーブル１０００は、実施例９のＵＳＢケーブル９０の構成に加え、＋Ｄａｔａ信号線に関しては並列共振器１０２−１を挿入し、当該並列共振器１０２−１の負荷側端から電気的に所望の受信周波数帯の波長の１／４あるいはその奇数倍の長さ離れた箇所において、並列共振器１０２−２の電源側端が接続され、−Ｄａｔａ信号線に関しては並列共振器１０２−３を挿入し、当該並列共振器１０２−３の負荷側端から電気的に所望の受信周波数帯の波長の１／４あるいはその奇数倍の長さ離れた箇所において、並列共振器１０２−４の電源側端が接続される。並列共振器９２−２の負荷側端と並列共振器１０２−１の負荷側端とがキャパシタ１０１−１を介して高周波的に接続され、並列共振器１０２−１の負荷側端と並列共振器１０２−３の負荷側端とがキャパシタ１０１−３を介して高周波的に接続される。並列共振器９２−３の電源側端と並列共振器１０２−２の電源側端とがキャパシタ１０１−２を介して高周波的に接続され、並列共振器１０２−２の電源側端と並列共振器１０２−４の電源側端とがキャパシタ１０１−４を介して高周波的に接続される。
【００４０】
本実施例のＵＳＢケーブル１０００によれば、従来のＵＳＢ−ｍｉｃｒｏＵＳＢ変換ケーブルが備える全ての信号線、およびシールドが、全体として所望の周波数帯で受信アンテナとして機能し、他の信号線による電磁界の擾乱を防ぐことができ、アンテナ利得の劣化を抑えることができる。
【図１】
2014183522.tif 000003
【図２】
2014183522.tif 000004
【図３】
2014183522.tif 000005
【図４】
2014183522.tif 000006
【図５】
2014183522.tif 000007
【図６】
2014183522.tif 000008
【図７】
2014183522.tif 000009
【図８】
2014183522.tif 000010
【図９】
2014183522.tif 000011
【図１０】
2014183522.tif 000012
【図１１】
2014183522.tif 000013
【図１２】
2014183522.tif 000014
【図１３】
2014183522.tif 000015